(57)【特許請求の範囲】
【請求項１】
陰極部に固定され、純銀のＡｇ短冊片とＧｅ／Ｉｎ短冊片とをモザイク状に交互に組み合わせたモザイクターゲットと、該モザイクターゲットに対向配置された陽極部とが内部に設置されたチャンバ内において、
身体に装用する物品を前記陽極部上に載置し、かつ、
前記物品の表面で、装用する際に皮膚に接触する被コーティング面が、前記ターゲットに向くようにし、
次いで、前記モザイクターゲットからスパッタリングすることにより、
前記被コーティング面に、１〜９重量％のゲルマニウムと、ゲルマニウムに対して重量比２〜２０％のインジウムとを含み、残部が銀からなるゲルマニウム含有合金膜を形成することを特徴とする健康増進具の製造方法。
【請求項２】
前記物品は衣料品であり、該衣料品が皮膚と接触する面側に前記ゲルマニウム含有合金膜が形成されていることを特徴とする、請求項１に記載の健康増進具の製造方法。
【請求項３】
前記物品は眼鏡であり、該眼鏡のテンプル、耳あてパッド及び鼻あてパッドから選ばれる少なくとも１種の部材が皮膚と接触する面側に前記ゲルマニウム含有合金膜が形成されていることを特徴とする、請求項１に記載の健康増進具の製造方法。
【発明の詳細な説明】
【０００１】
【発明の属する技術分野】
本発明は、ゲルマニウム含有合金を用いた健康増進具の製造方法に関する。
【０００２】
【従来の技術】
ゲルマニウムやその合金は遠赤外線効果等を有し、人体に対して消炎、鎮痛等の健康増進、治療効果があることが知られている。そして、特許第３０２５２４５号公報には、健康増進・治療効果や安全性・耐食性等の高い合金として、１〜９重量％のゲルマニウムと、ゲルマニウムに対して重量比２〜２０％のインジウムとを含み、残部が銀からなるゲルマニウム含有合金が開示されており、さらに、健康増進具としてこの合金のみからなるネックレスが開示されている。
【０００３】
【発明が解決しようとする課題】
しかし、このようなゲルマニウム含有合金のみからなる健康増進具は、重量が重くなって装用感が悪い場合があるとともに、使用する金属の量が多くなってコストが高くなってしまう。
【０００４】
本発明は、上記課題に鑑みてなされたものであり、低コストで、かつ、軽量な健康増進具の製造方法を提供することを目的とする。
【０００５】
【課題を解決するための手段】
本発明に係る健康増進具の製造方法は、陰極部に固定され、純銀のＡｇ短冊片とＧｅ／Ｉｎ短冊片とをモザイク状に交互に組み合わせたモザイクターゲットと、該モザイクターゲットに対向配置された陽極部とが内部に設置されたチャンバ内において、身体に装用する物品を上記陽極部上に載置し、かつ、上記物品の表面で、装用する際に皮膚に接触する被コーティング面が、上記ターゲットに向くようにし、次いで、上記モザイクターゲットからスパッタリングすることにより、上記被コーティング面に、１〜９重量％のゲルマニウムと、ゲルマニウムに対して重量比２〜２０％のインジウムとを含み、残部が銀からなるゲルマニウム含有合金膜を形成することを特徴とする。
【０００６】
これにより、あらゆる物品の表面に、好適な組成を有するゲルマニウム含有合金膜を形成することが可能とされる。また、スパッタリングのターゲットとして、純銀のＡｇ短冊片とＧｅ／Ｉｎ短冊片という組成が異なる複数の金属片をモザイク状に配置したモザイクターゲットを用いるので、形成されるゲルマニウム含有合金膜の組成を容易に変化させることが可能であるとともに、より均一な合金膜を得ることが可能となる。
【０００７】
また、物品は衣料品であり、該衣料品が皮膚と接触する面側に上記ゲルマニウム含有合金膜が形成されていることが好ましい。これにより、健康増進・治療効果を有する衣料品が容易に得られる。さらに、物品は眼鏡であり、該眼鏡のテンプル、耳あてパッド及び鼻あてパッドから選ばれる少なくとも１種の部材が皮膚と接触する面側に上記ゲルマニウム含有合金膜が形成されていることも好ましい。これにより、健康増進・治療効果を有する眼鏡が容易に得られる。
【００１０】
【発明の実施の形態】
以下、添付図面を参照しながら、本発明に係る健康増進具の製造方法の好適な実施形態について詳細に説明する。なお、図面の説明において、同一または相当要素には同一の符号を付し、重複する説明は省略する。
【００１１】
図１は、本発明の第１実施形態による眼鏡１を示す斜視図である。この眼鏡１は、２枚のレンズ１２、レンズ１２を周囲から支持しステンレスからなるリム１０、このリム１０に付設され樹脂からなる鼻あてパッド１３、リム１０に連接されステンレスからなるテンプル１１、および、テンプル１１の自由端を被覆し樹脂からなる耳あてパッド１２を有している。そして、テンプル１１、耳あてパッド１２および鼻あてパッド１３の内側（皮膚との接触面）に、重量比が銀：ゲルマニウム：インジウム＝９５：４．７５：０．２５であるゲルマニウム含有合金膜２１，２２，２３が各々形成されている。
【００１２】
つぎに、図２を参照して、この眼鏡１の製造方法を述べる。この眼鏡１は、テンプル１１等の部材を、スパッタリング装置１００内で処理して表面にゲルマニウム含有合金膜２１，２２，２３を形成することによって製造される。
【００１３】
このスパッタリング装置１００は、装置の外郭をなす真空チャンバ３０と、真空チャンバ３０内のガスを排気して内部を所定の低圧に維持する排気ユニット３１と、この真空チャンバ３０にスパッタガスであるアルゴンガスを供給するガス供給ユニット３３と、この真空チャンバ３０の底部に配置された陽極部３５と、この陽極部３５と対向して真空チャンバ３０の上部に配置された陰極部３６とを有するとともに、この陽極部３５と陰極部３６との間に電圧を印加してこの間に放電を発生させる電圧印加ユニット３４を備えている。
【００１４】
まず、陽極部３５上に、コーティング対象である耳あてパッド１２を有するテンプル１１と鼻あてパッド１３とを被コーティング面を上にして載置する。つぎに、重量比が銀：ゲルマニウム：インジウム＝９５：４．７５：０．２５であるゲルマニウム含有合金ターゲット（単一ターゲット）３２を、陰極部３６に固定する。つぎに、真空チャンバ３０内を排気ユニット３１により排気したのち、ガス供給ユニット３３からアルゴンガスを供給して圧力を５Ｐａとする。そして、陽極部３５と陰極部３６との間に、印加電圧５ｋＶ、ターゲット電流密度が０．５ｍＡ／ｃｍ2となるように１３．５６ＭＨｚの交流電圧を電圧印加ユニット３４により印加する。これにより、陽イオンが陰極部３６側のゲルマニウム含有合金ターゲット３２に衝突してターゲット原子が飛び出し、陽極部３５上の被スパッタ物であるテンプル１１や鼻あてパッド１３の表面がスパッタ蒸着され、ゲルマニウム含有合金ターゲット３２と同様の組成を有するゲルマニウム含有合金膜２１，２２，２３が表面に形成される。
【００１５】
このように、ゲルマニウム含有合金膜２１，２２，２３がテンプル１１、耳あてパッド１２及び鼻あてパッド１３の表面に各々形成されることにより、これらの部材をゲルマニウム含有合金のみから無垢で形成した場合と比べて軽量化が達成されるとともに、使用するゲルマニウム含有合金の量が少なくなって低コスト化も達成されている。
【００１６】
そして、このようなゲルマニウム含有合金膜２１，２２，２３を有する眼鏡１が人体に装用されると、このゲルマニウム含有合金膜２１，２２，２３と皮膚とが接触し、特許第３０２５２４５号公報に記載されているように、遠赤外線効果による健康増進、治癒効果が発揮されるようになっている。
【００１７】
つぎに本発明の第２実施形態による眼鏡１の製造方法を説明する。本実施形態では、第１実施形態のスパッタリング装置１００で用いた単一のゲルマニウム含有合金ターゲット３２に代えて、図３に示すような、組成の異なる複数の金属片がモザイク状に配置されたいわゆるモザイクターゲット４０を採用している。
【００１８】
このモザイクターゲット４０は、純銀のＡｇ短冊片４１と、ゲルマニウムとインジウムの重量比が１９：１であるＧｅ／Ｉｎ短冊片４２とがモザイク状に交互に組み合わされてなるものであり、Ａｇ短冊片４１とＧｅ／Ｉｎ短冊片４２の面積比が１９：１になるようにされている。
【００１９】
ところで第１実施形態のゲルマニウム含有合金ターゲット３２のような単一ターゲットを用いる場合、均一組成の膜を形成するためには、ターゲット内の各成分がターゲット内で均一であることが要求される。ところが、多成分合金の組成をターゲット内で完全に均一にすることは偏析等の問題のため難しいことが多い。これに対して、本実施形態で採用しているモザイクターゲットは、純金属片または均一化が容易な組合せの合金片を複数組み合わせているので、スパッタリングをした時に均一な合金膜を容易に得ることが可能であるとともに、その金属片の面積比を調節することにより、得られる膜の組成を容易に変化させることが可能となっている。
【００２０】
そして、このようなモザイクターゲット４０をターゲットとして、第１実施形態と同様の手順によりテンプル１１等の表面にスパッタ蒸着を行う。これにより、第１実施形態と同様のゲルマニウム含有合金膜２１，２２，２３がテンプル１１等の表面に形成されるとともに、この眼鏡１は第１実施形態と同様の作用効果を奏するようになっている。
【００２１】
つぎに、図４を参照して、第３実施形態のブラジャー２を示す。このブラジャー２は、木綿生地からなり、乳房を包む２つのカップ６１、カップ６１から各々延びる肩紐であるストラップ６２、２つのカップ６１を連結する前側布６３、および、背中に回してブラジャー２を人体に固定するための脇側布６４を有する。そして、カップ６１、ストラップ６２、前側布６３および脇側布６４の内側（皮膚に接触する面）に第１実施形態と同様のゲルマニウム含有合金膜７０が形成されている。このゲルマニウム含有合金膜７０も第１実施形態と同様の方法により形成されている。
【００２２】
このように、ブラジャー２の内側にゲルマニウム含有合金膜７０が形成されることにより、ブラジャー内側にゲルマニウム含有金属片を張り付けたブラジャーと比べて、軽量化・低コスト化が可能となるともに、皮膚に接触するゲルマニウム含有合金の面積を大きくすることが可能とされている。
【００２３】
そして、このブラジャー２が人体に装用されると、ゲルマニウム含有合金膜７０が皮膚と接触し、第１実施形態と同様の作用効果を奏するようになっている。
【００２４】
つぎに、図５を参照して、第４実施形態の腕輪３を示す。この腕輪３は、腕に装用する装身具であり、プラスチックからなる円環７１の内側表面にゲルマニウム含有合金膜７２が形成されている。このゲルマニウム含有合金膜７２も、第１実施形態と同様のスパッタリングにより形成されている。
【００２５】
このように、腕輪３の内側にゲルマニウム含有合金膜７２が形成されることにより、ゲルマニウム含有合金のみからなる腕輪と比較して軽量化・低コスト化が可能になっている。そして、この腕輪３が人体に装用されると、ゲルマニウム含有合金膜７２が皮膚に接触して、第１実施形態と同様の健康増進・治療効果を奏するようになっている。
【００２６】
以上のように、本発明の健康増進具の製造方法によれば、身体に装用する物品の表面で、装用する際に皮膚に接触する部分の少なくとも一部に、１〜９重量％のゲルマニウムと、ゲルマニウムに対して重量比２〜２０％のインジウムとを含み、残部が銀からなるゲルマニウム含有合金膜をスパッタリングにより形成することにより、あらゆる物品の表面に好適な組成を有するゲルマニウム含有合金膜が形成され、低コストで、かつ、軽量な健康増進具の製造方法を提供することが可能となっている。
【００２７】
なお、本発明に係る健康増進具は、上記実施形態に限定されるものではなく、他の条件等に応じて種々の変形態様をとることが可能である。例えば、第１実施形態では、眼鏡１のリム１０等としてステンレスを採用しているが、これに限らず、チタン合金、アルミ、真鍮等の金属材料やアクリル、塩ビ等のプラスチック材料でも構わない。また、鼻あてパッド１３としてプラスチック素材を採用しているが、これに限らず、シリコンゴム等で被覆された鼻あてパッドでも構わない。
【００２８】
また、第２実施形態ではＡｇ短冊片４１とＧｅ／Ｉｎ短冊片４２の２種類の金属片によるモザイクターゲット４０を採用しているが、これに限らず、単一成分金属片のみの組合せや、複数成分金属板のみ組合せでも構わず、また、組合せの数も３種類以上でも構わない。
【００２９】
また、第３実施形態では、綿素材のブラジャー２を採用しているが、これに限らず、絹等の他の天然繊維や、ポリエステル等の合成繊維、また、これらが混合された混紡繊維でも構わない。さらに、ブラジャーに限らず、パンツや靴下等の下着類、シャツやズボン等の衣服類、サンダルや靴等の履き物類、シーツや枕等の寝具類、マフラー、手袋、帽子、ヘアバンド、サポーター、タオル等、身体に接触する衣料品であれば種類を問わない。
【００３０】
また、第４実施形態では、円環状の腕輪３を採用しているが、これに限らず、腕に装着できる腕輪なら形状はこれに限らない。また、腕輪３の素材として、プラスチックを採用しているが、これに限らず、アルミニウム等の金属やゴム、繊維等でも構わない。また、腕輪に限らず、指輪、イヤリング、ピアス、時計、ネックレス、ブレスレット等、身体に装用する装身具なら種類を問わない。
【００３１】
また、第１〜第４実施形態では、身体に接触する部分の全部にゲルマニウム含有合金膜を形成しているが、これに限らず、その一部のみにゲルマニウム含有合金膜を形成したり、水玉模様等の形状にゲルマニウム含有合金膜を形成してデザイン等を施しても構わない。また、このゲルマニウム含有合金膜として、重量比が銀：ゲルマニウム：インジウム＝９５：４．７５：０．２５となる組成を採用しているがこれに限らず、特許第３０２５２４５号公報に記載されているように、１〜９重量％のゲルマニウムと、ゲルマニウムに対して重量比２〜２０％のインジウムとを含み、残部が銀からなるゲルマニウム含有合金膜であれば構わない。
【００３２】
【発明の効果】
以上説明したように、本発明に係る健康増進具の製造方法によれば、身体に装用する物品の表面で、装用する際に皮膚に接触する部分の少なくとも一部に、１〜９重量％のゲルマニウムと、ゲルマニウムに対して重量比２〜２０％のインジウムとを含み、残部が銀からなるゲルマニウム含有合金膜を、スパッタリングにより形成することにより、あらゆる物品の表面に好適な組成を有するゲルマニウム含有合金膜が形成されるので、低コストで、かつ、軽量な健康増進具の製造方法を提供することが可能である。
【図面の簡単な説明】
【図１】第１、第２実施形態による眼鏡を示す斜視図である。
【図２】第１実施形態におけるスパッタリング装置を示す断面図である。
【図３】第２実施形態におけるモザイクターゲットを示す斜視図である。
【図４】第３実施形態によるブラジャーを示す斜視図である。
【図５】第４実施形態による腕輪を示す斜視図である。
【符号の説明】
１…眼鏡（健康増進具）、２…ブラジャー（健康増進具）、３…腕輪（健康増進具）、２１，２２，２３，７０，７２…ゲルマニウム含有合金膜、３２…ゲルマニウム含有合金ターゲット（単一ターゲット材）、４０…モザイクターゲット、１００…スパッタリング装置。
【図１】
0003671141.tif 000002
【図２】
0003671141.tif 000003
【図３】
0003671141.tif 000004
【図４】
0003671141.tif 000005
【図５】
0003671141.tif 000006